(57)【要約】【課題】  本発明は、カメラ用電子閃光装置等の照明装置に関し、装置を大型化することなく照明角の変化を従来より増大することを目的とする。【解決手段】  光源からの光を反射する反射傘を備えた照明装置において、前記反射傘を上下に２分割し、前記反射傘の開き角を変更可能にしてなることを特徴とする。また、前記反射傘は、対向配置される第１の反射部材および第２の反射部材と、前記第１の反射部材と前記第２の反射部材を回動可能に連結する連結手段と、前記第１の反射部材と前記第２の反射部材との角度を変更して前記開き角を調整する角度調整手段とを有していることを特徴とする。【選択図】      図２
2007199167.tif 000002
【特許請求の範囲】
【請求項１】
光源からの光を反射する反射傘を備えた照明装置において、
前記反射傘を上下に２分割し、前記反射傘の開き角を変更可能にしてなることを特徴とする照明装置。
【請求項２】
請求項１記載の照明装置において、
前記反射傘は、
対向配置される第１の反射部材および第２の反射部材と、
前記第１の反射部材と前記第２の反射部材を回動可能に連結する連結手段と、
前記第１の反射部材と前記第２の反射部材との角度を変更して前記開き角を調整する角度調整手段と、
を有していることを特徴とする照明装置。
【請求項３】
請求項２記載の照明装置において、
前記角度調整手段は、
前記第１の反射部材および前記第２の反射部材の前記連結手段側から突出して形成され対向配置される一対の突出部と、
前記一対の突出部を対向する方向に付勢する付勢手段と、
前記一対の突出部の間に配置されるカム部材と、
前記カム部材を回動する駆動手段と、
を有していることを特徴とする照明装置。
【請求項４】
請求項１ないし請求項３のいずれか１項記載の照明装置において、
前記光源と前記反射傘との相対位置を変更可能にしてなることを特徴とする照明装置。
【請求項５】
請求項１ないし請求項４のいずれか１項記載の照明装置において、
前記反射傘の両側に側方反射板を配置し、前記側方反射板の反射方向を変更可能にしてなることを特徴とする照明装置。
【請求項６】
請求項１ないし請求項５のいずれか１項記載の照明装置において、
前記反射傘の前方に光学パネルを配置し、前記光学パネルと前記反射傘との相対位置を変更可能にしてなることを特徴とする照明装置。
【請求項７】
請求項１ないし請求項６のいずれか１項記載の照明装置において、
前記反射傘の反射面は、前記開き角が所定の値の時に放物線あるいは半楕円形状になることを特徴とする照明装置。
【請求項８】
光源と前記光源からの光を反射する反射傘とを備えた発光部の前方に、光学パネルを配置してなる照明装置において、
前記発光部および前記光学パネルを前後方向に移動可能にするとともに、前記発光部の前記光源と前記反射傘との相対位置を変更可能にしてなることを特徴とする照明装置。
【請求項９】
請求項８記載の照明装置において、
照明角が広角の時は、前記光学パネルと前記反射傘との距離を短くするとともに、前記反射傘と前記光源との距離を長く設定し、
照明角が狭角の時は、前記光学パネルと前記反射傘との距離を長くするとともに、前記反射傘と前記光源との距離を短く設定することを特徴とする照明装置。
【請求項１０】
請求項８または請求項９記載の照明装置において、
前記反射傘の両側に側方反射板を配置し、前記側方反射板の反射方向を変更可能にしてなることを特徴とする照明装置。
【発明の詳細な説明】
【技術分野】
【０００１】
本発明は、カメラ用電子閃光装置等の照明装置に関する。
【背景技術】
【０００２】
従来、電子閃光装置として、光源と光源からの光を反射する反射傘とを備えた発光部の前方に光学パネルを配置したものが知られている。そして、従来、発光部と光学パネルを前後方向に移動することにより照射角を広角用または望遠用に切り換える電子閃光装置が知られている。また、発光部の光源と反射傘との相対位置を変更することにより照射角を広角用または望遠用に切り換える電子閃光装置が知られている。
【特許文献１】特開平１１−１４２９２６号公報
【特許文献２】特開平６−１４８７２２号公報
【特許文献３】特許第３１３２９９１号公報
【発明の開示】
【発明が解決しようとする課題】
【０００３】
しかしながら、従来の電子閃光装置では、広角時の照射角を更に広げ、また望遠時の照射角を更に狭めようとすると装置が大型化するという問題があった。
本発明は、かかる従来の問題を解決するためになされたもので、装置を大型化することなく照明角の変化を従来より増大することができる照明装置を提供することを目的とする。
【課題を解決するための手段】
【０００４】
第１の発明の照明装置は、光源からの光を反射する反射傘を備えた照明装置において、前記反射傘を上下に２分割し、前記反射傘の開き角を変更可能にしてなることを特徴とする。
第２の発明の照明装置は、第１の発明の照明装置において、前記反射傘は、対向配置される第１の反射部材および第２の反射部材と、前記第１の反射部材と前記第２の反射部材を回動可能に連結する連結手段と、前記第１の反射部材と前記第２の反射部材との角度を変更して前記開き角を調整する角度調整手段とを有していることを特徴とする。
【０００５】
第３の発明の照明装置は、第２の発明の照明装置において、前記角度調整手段は、前記第１の反射部材および前記第２の反射部材の前記連結手段側から突出して形成され対向配置される一対の突出部と、前記一対の突出部を対向する方向に付勢する付勢手段と、前記一対の突出部の間に配置されるカム部材と、前記カム部材を回動する駆動手段とを有していることを特徴とする。
【０００６】
第４の発明の照明装置は、第１ないし第３のいずれか１の発明の照明装置において、前記光源と前記反射傘との相対位置を変更可能にしてなることを特徴とする。
第５の発明の照明装置は、第１ないし第４のいずれか１の発明の照明装置において、前記反射傘の両側に側方反射板を配置し、前記側方反射板の反射方向を変更可能にしてなることを特徴とする。
【０００７】
第６の発明の照明装置は、第１ないし第５のいずれか１の発明の照明装置において、前記反射傘の前方に光学パネルを配置し、前記光学パネルと前記反射傘との相対位置を変更可能にしてなることを特徴とする。
第７の発明の照明装置は、第１ないし第６のいずれか１の発明の照明装置において、前記反射傘の反射面は、前記開き角が所定の値の時に放物線あるいは半楕円形状になることを特徴とする。
【０００８】
第８の発明の照明装置は、光源と前記光源からの光を反射する反射傘とを備えた発光部の前方に、光学パネルを配置してなる照明装置において、前記発光部および前記光学パネルを前後方向に移動可能にするとともに、前記発光部の前記光源と前記反射傘との相対位置を変更可能にしてなることを特徴とする。
第９の発明の照明装置は、第８の発明の照明装置において、照明角が広角の時は、前記光学パネルと前記反射傘との距離を短くするとともに、前記反射傘と前記光源との距離を長く設定し、照明角が狭角の時は、前記光学パネルと前記反射傘との距離を長くするとともに、前記反射傘と前記光源との距離を短く設定することを特徴とする。
【０００９】
第１０の発明の照明装置は、第８または第９の発明の照明装置において、前記反射傘の両側に側方反射板を配置し、前記側方反射板の反射方向を変更可能にしてなることを特徴とする。
【発明の効果】
【００１０】
本発明の照明装置では、装置を大型化することなく照明角の変化を従来より増大することができる。
【発明を実施するための最良の形態】
【００１１】
以下、本発明の実施形態を図面を用いて詳細に説明する。
(第１の実施形態)
図１は、本発明の照明装置の第１の実施形態を示している。この実施形態では、本発明が閃光装置に適用される。
この実施形態では、閃光装置１１はカメラ１３の上面に配置される取付座（ホットシュー）１５に装着されて使用される。カメラ１３には撮影レンズ１７が配置されている。
【００１２】
閃光装置１１は、本体部１９の下部に取付部２１を有している。そして、この取付部２１がカメラ１３の取付座１５に装着される。本体部１９の上部には、照射部２３が配置されている。この照射部２３は、軸部２５を中心にして本体部２１に回動可能に配置されている。
図２は、照射部２３の要部の詳細を示している。
【００１３】
照射部２３の筐体２５の内側には、発光部２７が配置されている。この発光部２７は、閃光を発生する光源２９と、光源２９からの光を反射する反射傘３１とを有している。光源２９には例えばキセノン(Ｘｅ)管が使用される。反射傘３１の反射面３１ａは、標準時に放物線あるいは半楕円形状の断面形状となるように形成されている。発光部２７は図示しない駆動機構により前後方向に移動可能とされている。
【００１４】
発光部２７の前方には光学パネル３３が配置されている。この光学パネル３３には例えばフレネルレンズが使用される。光学パネル３３は筒状の案内部材３５の前端に保持されている。案内部材３５は筐体２５の内側に嵌挿されている。案内部材３５は筐体２５の内面に沿って移動可能とされている。そして、図示しない駆動機構により前後方向に移動可能とされている。
【００１５】
図３は反射傘３１の詳細を示している。
この反射傘３１は第１の反射部材３７および第２の反射部材３９を有している。第１の反射部材３７と第２の反射部材３９は上下に対向配置されている。第１の反射部材３７および第２の反射部材３９の後端には、図４に示すように円筒状の連結部３７ａ，３９ａが一体形成されている。この連結部３７ａ，３９ａは第１の反射部材３７および第２の反射部材３９の長手方向の半部にそれぞれ形成されている。そして、連結部３７ａ，３９ａを突き合わせた状態で、ピン部材４１を連結部３７ａ，３９ａの穴部３７ｂ，３９ｂに挿通することにより第１の反射部材３７と第２の反射部材３９とが回動可能に連結される。
【００１６】
第１の反射部材３７と第２の反射部材３９の後部には、第１の反射部材３７と第２の反射部材３９との角度を変更して開き角θを調整する角度調整手段４３が配置されている。
この角度調整手段４３は、一対の突出部３７ｃ，３９ｃと、保持部材４５と、コイルスプリング４７と、カム部材４９と、モータ５１とを有している。一対の突出部３７ｃ，３９ｃは、図４に示すように第１の反射部材３７および第２の反射部材３９の連結部３７ａ，３９ａ側から突出して形成されている。一対の突出部３７ｃ，３９ｃは、第１の反射部材３７および第２の反射部材３９の長手方向の中央に一体形成され対向配置されている。
【００１７】
一対の突出部３７ｃ，３９ｃの外側には断面コ字状の保持部材４５が配置されている。保持部材４５と一対の突出部３７ｃ，３９ｃとの間にはコイルスプリング４７が配置されている。このコイルスプリング４７により一対の突出部３７ｃ，３９ｃが対向する方向に付勢されている。
一対の突出部３７ｃ，３９ｃの間にはカム部材４９が配置されている。このカム部材４９は、図５に示すように横断面が楕円形状とされている。そして、カム部材４９の中心にモータ５１の駆動軸５３が連結されている。
【００１８】
そして、モータ５１を駆動してカム部材４９の長手方向を水平にすると、図３に示すように第１の反射部材３７と第２の反射部材３９との開き角θが最大の開き角θ１になる。また、図６に示すように、モータ５１を駆動してカム部材４９の長手方向を垂直にすると第１の反射部材３７と第２の反射部材３９との開き角θが最小の開き角θ２になる。さらに、図２に示すようにカム部材４９の長手方向を傾斜すると、開き角θが最大の開き角θ１と最小の開き角θ２との間の任意の角度になる。なお、ここで、開き角θとは、図３に示すようにピン部材４１の中心と第１の反射部材３７の先端を結ぶ線分ｎ１と、ピン部材４１の中心と第２の反射部材３９の先端を結ぶ線分ｎ２とがなす角度をいう。
【００１９】
上述した閃光装置では、カメラ１３が広角に設定され要求される照射角が広角の時には、図７に模式的に示すように、第１の反射部材３７と第２の反射部材３９との開き角θが小さくされる。また、同時に、案内部材３５が筐体２５側に移動されるとともに発光部２７が前方に移動され光学パネル３３と反射傘３１との距離Ｌ１が短くされる。すなわち、反射傘３１の開き角θを小さくすると図７に矢符で示すように反射傘３１からの反射光と光軸Ｌとのなす角度Ａが大きくなる。そして、光学パネル３３と反射傘３１との距離Ｌ１を短くすることにより、光学パネル３３を透過した後の反射光はより広がることになる。
【００２０】
また、カメラ１３が望遠に設定され要求される照射角が狭角の時には、図８に模式的に示すように、第１の反射部材３７と第２の反射部材３９との開き角θが大きくされる。また、同時に、案内部材３５が筐体２５と反対側に移動されるとともに発光部２７が後方に移動され光学パネル３３と反射傘３１との距離Ｌ２が長くされる。すなわち、反射傘３１の開き角θを大きくすると図８に矢符で示すように反射傘３１からの反射光と光軸Ｌとのなす角度Ｂが小さくなる。そして、光学パネル３３と反射傘３１との距離Ｌ２を長くすることにより、光学パネル３３を透過した後の反射光はより狭まることになる。
【００２１】
そして、カメラ１３が標準(広角と望遠の中間)に設定され要求される照射角が標準の時には、図２に示すように第１の反射部材３７と第２の反射部材３９との開き角θが図７に示した開き角θと図８に示した開き角θとの中間の値に設定され、また、案内部材３５が図７に示した案内部材３５の位置と図８に示した案内部材３５の位置との中間の位置に位置される。
【００２２】
この実施形態の閃光装置では、反射傘３１を上下に２分割して反射傘３１の開き角θを変更可能にしたので、反射傘３１からの反射光と光軸Ｌとのなす角度を変更することが可能になり、装置を大型化することなく照射角の変化を従来より大幅に増大することができる。これにより、広角側ではより画角の広い範囲に渡って照射強度が均一になり、一方、望遠側ではガイドナンバーがアップしてより遠くまで照射光を届かせることが可能になる。
(第２の実施形態)
図９は、本発明の第２の実施形態の閃光装置の要部を示している。
【００２３】
なお、この実施形態において第１の実施形態と同一の部材には、同一の符号を付して詳細な説明を省略する。
この実施形態では、発光部２７は、図示しない駆動機構により前後方向に移動可能とされている。また、案内部材３５は図示しない駆動機構により前後方向に移動可能とされている。さらに、発光部２７の光源２９は、図示しない駆動機構により移動可能とされ、光源２９と反射傘３１との相対位置が変更可能とされている。
【００２４】
そして、図１０に示すように、反射傘３１の両側には側方反射板５５が配置されている。この側方反射板５５は、図示しない駆動機構により軸部５７を中心にして回動可能とされ、これにより反射方向を変更可能とされている。
この実施形態の閃光装置では、カメラ１３が広角に設定され要求される照射角が広角の時には、図１１に示すように、光源２９と反射傘３１との距離Ｄ１が長くされる。また、案内部材３５が筐体２５側に移動されるとともに発光部２７が前方に移動され光学パネル３３と反射傘３１との距離Ｌ１が短くされる。そして、図１２に示すように、反射傘３１の両側に配置される側方反射板５５が軸部５７を中心にして内側に向けて回動される。
【００２５】
すなわち、光源２９と反射傘３１との距離Ｄ１を長くすると図１１に矢符で示すように反射傘３１からの反射光と光軸Ｌとのなす角度Ｃが大きくなる。そして、光学パネル３３と反射傘３１との距離Ｌ１を短くすることにより、光学パネル３３を透過した後の反射光はより広がることになる。また、側方反射板５５を内側に向けて回動すると、図１３に矢符ａで示すように側方反射板５５からの反射光と光軸Ｌとのなす角度α１が大きくなる。そして、光学パネル３３と側方反射板５５との距離が短くなっているため、光学パネル３３を透過した後の反射光はより広がることになる。
【００２６】
また、カメラ１３が望遠に設定され要求される照射角が狭角の時には、図１４に示すように、光源２９と反射傘３１との距離Ｄ２が短くされる。また、案内部材３５が筐体２５と反対側に移動されるとともに発光部２７が後方に移動され光学パネル３３と反射傘３１との距離Ｌ２が長くされる。そして、図１５に示すように、反射傘３１の両側に配置される側方反射板５５が軸部５７を中心にして外側に向けて回動される。
【００２７】
すなわち、光源２９と反射傘３１との距離を短くすると図１４に矢符で示すように反射傘３１からの反射光と光軸Ｌとのなす角度Ｅが小さくなる。そして、光学パネル３３と反射傘３１との距離Ｌ２を長くすることにより、光学パネル３３を透過した後の反射光はより狭まることになる。また、側方反射板５５を外側に向けて回動すると、図１３に矢符で示すように側方反射板５５からの反射光と光軸Ｌとのなす角度α２が小さくなる。そして、光学パネル３３と側方反射板５５との距離が長くなっているため、光学パネル３３を透過した後の反射光はより狭まることになる。
【００２８】
そして、カメラ１３が標準(広角と望遠との中間)に設定され要求される照射角が標準の時には、図９に示すように光源２９と反射傘３１との距離が図１１に示した距離Ｄ１と図１４に示した距離Ｄ２との中間の値に設定される。また、案内部材３５が図１１に示した案内部材３５の位置と図１４に示した案内部材３５の位置との中間の位置に位置される。さらに、反射傘３１の両側に配置される側方反射板５５が図１２に示した位置と図１５に示した位置との中間に位置される。
【００２９】
この実施形態の閃光装置では、発光部２７および光学パネル３３を前後方向に移動可能にするとともに、発光部２７の光源２９と反射傘３１との相対位置を変更可能にしたので、反射傘３１からの反射光と光軸Ｌとのなす角度を変更することが可能になり、装置を大型化することなく照射角の変化を従来より大幅に増大することができる。また、この側方反射板５５の反射方向を変更可能にしたので、側方反射板５５で反射する反射光の照射角を変更することができる。
(実施形態の補足事項)
以上、本発明を上述した実施形態によって説明してきたが、本発明の技術的範囲は上述した実施形態に限定されるものではなく、例えば、以下のような形態でも良い。
【００３０】
(１)上述した第１の実施形態において、反射傘３１の両側に側方反射板５５を配置し、側方反射板５５の反射方向を変更可能にしても良い。
(２)上述した第１の実施形態において、光源２９と反射傘３１との相対位置を変更可能にしても良い。
(３)上述した実施形態では、本発明をカメラ１３に着脱可能とされる閃光装置１１に適用した例について説明したが、例えば、カメラに組み込まれた閃光装置にも適用することができる。また、閃光装置に限られるものではなく、例えば光を連続的に照射する照明装置等に広く適用することができる。
【図面の簡単な説明】
【００３１】
【図１】第１の実施形態の閃光装置をカメラに装着した状態を示す説明図である。
【図２】図１の閃光装置の照射部の要部を示す説明図である。
【図３】図２の照射部に配置される反射傘の詳細を示す説明図である。
【図４】図３の反射傘の詳細を示す説明図である。
【図５】図３の反射傘に配置されるカム部材およびモータを示す説明図である。
【図６】図３の反射傘の開き角を最大にした状態を示す説明図である。
【図７】図２の照射部の広角時の状態を示す説明図である。
【図８】図２の照射部の狭角時の状態を示す説明図である。
【図９】第２の実施形態の照射部の要部を示す説明図である。
【図１０】図９の照射部に配置される側方反射板を示す説明図である。
【図１１】図９の照射部の広角時の状態を示す説明図である。
【図１２】図１０の側方反射板の広角時の状態を示す説明図である。
【図１３】図１０の側方反射板の反射状態を示す説明図である。
【図１４】図９の照射部の狭角時の状態を示す説明図である。
【図１５】図１０の側方反射板の狭角時の状態を示す説明図である。
【符号の説明】
【００３２】
２７：発光部、２９：光源、３１：反射傘、３３：光学パネル、３７：第１の反射部材、３９：第２の反射部材、４３：角度調整手段、４９：カム部材、５１：モータ。
【図１】
2007199167.tif 000003
【図２】
2007199167.tif 000004
【図３】
2007199167.tif 000005
【図４】
2007199167.tif 000006
【図５】
2007199167.tif 000007
【図６】
2007199167.tif 000008
【図７】
2007199167.tif 000009
【図８】
2007199167.tif 000010
【図９】
2007199167.tif 000011
【図１０】
2007199167.tif 000012
【図１１】
2007199167.tif 000013
【図１２】
2007199167.tif 000014
【図１３】
2007199167.tif 000015
【図１４】
2007199167.tif 000016
【図１５】
2007199167.tif 000017